(57)【要約】【課題】太陽電池モジュールの架台への取付工数を削減することができる太陽電池モジュール取付冶具を提供する。【解決手段】縦方向に延びる棒状の縦部材と、縦部材の一端に、縦部材に垂直に設置される横部材と、縦部材を挟み、横部材と対向する方向に縦部材に設けられた第１の支持部材及び第２の支持部材と、第１の支持部材に設けられ下方に突出する第１の突出部と、第２の支持部材に設けられ下方に突出する第２の突出部と、を備える。太陽電池モジュール取付冶具は取付桟に設置され、太陽電池モジュールが横部材に当接されて位置決めされ、太陽電池モジュールが架台の取付桟に取り付けられる。その後、太陽電池モジュール取付冶具は取り除かれる。【選択図】図１
2011061088.tif 000002
【特許請求の範囲】
【請求項１】
縦方向に延びる棒状の縦部材と、
前記縦部材の一端に、前記縦部材に垂直に設置される横部材と、
前記縦部材を挟み、前記横部材と対向する方向に縦部材に設けられた第１の支持部材及び第２の支持部材と、
前記第１の支持部材に設けられ下方に突出する第１の突出部と、
前記第２の支持部材に設けられ下方に突出する第２の突出部と、を備える太陽電池モジュール取付冶具。
【請求項２】
前記横部材は、
前記横部材から前記第２の突出部までの高さと前記横部材から太陽電池モジュールのフレームのボルト穴までの高さとが等しくなるように、前記縦部材に設置され、
前記第１の突出部と前記第２の突出部との距離は、前記太陽電池モジュールの前記ボルト穴の縦方向の間隔と等しく、
前記第１の突出部及び前記第２の突出部と前記縦部材の前記太陽電池モジュールと接触する面との距離は、第１の太陽電池モジュールのための取付孔と前記第１の太陽電池モジュールに隣接して取り付けられる第２の太陽電池モジュールのための隣接する取付孔との距離の１／２以下である
ことを特徴とする請求項１記載の太陽電池モジュール取付冶具。
【請求項３】
縦方向に延びる棒状の縦部材と、
前記縦部材の一端に、前記縦部材に垂直に設置される横部材と、
前記縦部材を挟み、前記横部材と対向する方向に前記縦部材に設けられた支持部材と、
前記支持部材に設けられ下方に突出する第１の突出部、第２の突出部、第３の突出部、及び第４の突出部と、を備える太陽電池モジュール取付冶具。
【請求項４】
前記横部材は、
前記横部材から前記第２の突出部までの高さと前記横部材から太陽電池モジュールのフレームのボルト穴までの高さとが等しくなるように、前記縦部材に設置され、
前記第１の突出部と前記第２の突出部との距離及び前記第３の突出部と前記第４の突出部との距離は、それぞれ前記太陽電池モジュールの前記ボルト穴の縦方向の間隔と等しく、
前記第１の突出部と前記第３の突出部との距離及び前記第２の突出部と前記第４の突出部との距離は、それぞれ前記太陽電池モジュールの前記ボルト穴の横方向の間隔と等しく、
前記第１の突出部及び前記第２の突出部と前記縦部材の前記太陽電池モジュールと接触する面との距離は、第１の太陽電池モジュールのための取付孔と前記第１の太陽電池モジュールに隣接して取り付けられる第２の太陽電池モジュールのための隣接する取付孔との距離の１／２以下である
ことを特徴とする請求項３記載の太陽電池モジュール取付冶具。
【請求項５】
前記支持部材を挟んで前記縦部材と対向する位置に設置されるゲージと、
前記ゲージに設けられ、下方に突出する第５の突出部及び第６の突出部と、
をさらに備えることを特徴とする請求項３又は請求項４に記載の太陽電池モジュール取付冶具。
【請求項６】
前記第５の突出部と前記第３の突出部との距離は、第１の太陽電池モジュールのための取付孔と前記第１の太陽電池モジュールに隣接して取り付けられる第２の太陽電池モジュールのための隣接する取付孔との距離と等しいことを特徴とする請求項５記載の太陽電池モジュール取付冶具。
【発明の詳細な説明】
【技術分野】
【０００１】
本発明は、太陽電池モジュールを架台に取り付けるための太陽電池モジュール取付冶具に関する。
【背景技術】
【０００２】
近年、太陽光発電システムは地球温暖化防止の観点から急速に普及している。最近ではメガワット級の大規模発電所の建設がおこなわれるようになった。このような大規模太陽光発電施設においては、地上に設置した架台に多数の太陽電池パネルを設置する必要がある。
【０００３】
従来の太陽光発電施設においては、二人の作業員が太陽電池モジュールを持ち上げ、３人目の作業員が位置決めをして架台にこの太陽電池モジュールをボルトとナットなどのような係止部材を用いて固定しており、工数及び作業人数がかかるという問題点がある。
【０００４】
この点に関し、架台に位置決め用のビスをまず設置し、太陽電池モジュールをこの位置決め用のビスに当接させて位置決めを行う方法が提案されている（例えば、特許文献１）。
【先行技術文献】
【特許文献】
【０００５】
【特許文献１】特開平９−９６０７１号公報
【発明の概要】
【発明が解決しようとする課題】
【０００６】
しかし、位置決め用のビスを架台に設置することは、架台の桟にビス用の穴をあけ、さらにビスを設置するという工数がかかるという問題点がある。
【０００７】
本発明は、太陽電池モジュールの架台への取付工数を削減することができる太陽電池モジュール取付冶具を提供することを目的とする。
【課題を解決するための手段】
【０００８】
本発明は、縦方向に延びる棒状の縦部材と、縦部材の一端に、縦部材に垂直に設置される横部材と、縦部材を挟み、横部材と対向する方向に縦部材に設けられた第１の支持部材及び第２の支持部材と、第１の支持部材に設けられ下方に突出する第１の突出部と、第２の支持部材に設けられ下方に突出する第２の突出部と、を備える太陽電池モジュール取付冶具を提供する。
【発明の効果】
【０００９】
本発明によれば、従来位置決めに要していた人員の削減が可能となり、位置決め工数も減少させることができるという効果がある。さらに、取付孔が規定どおりの位置に鑽孔されているかを確認することができるという効果がある。
【図面の簡単な説明】
【００１０】
【図１】第１の実施形態の太陽電池モジュール取付冶具の外観斜視図である。
【図２】第１の実施形態の太陽電池モジュール取付冶具の上面図である。
【図３】第１の実施形態の太陽電池モジュール取付冶具の使用例を示す上面図である。
【図４】架台の外観斜視図である。
【図５】太陽電池モジュールの係止部分の断面図である。
【図６】第２の実施形態の太陽電池モジュール取付冶具の外観斜視図である。
【図７】第２の実施形態の太陽電池モジュール取付冶具の上面図である。
【図８】第２の実施形態の太陽電池モジュール取付冶具の使用例を示す上面図である。
【図９】第２の実施形態の太陽電池モジュール取付冶具の変形例を示す図である。
【発明を実施するための形態】
【００１１】
以下に、本発明の一実施形態に係る太陽電池モジュール取付冶具を、図面を参照して詳細に説明する。
【００１２】
（第１の実施形態）
図１は、第１の実施形態の太陽電池モジュール取付冶具１０の外観斜視図である。図２は、第１の実施形態の太陽電池モジュール取付冶具１０の上面図である。
【００１３】
図１及び図２に示すように、太陽電池モジュール取付冶具１０は、縦方向に延びる棒状の縦部材１１と、縦部材１１の一端に、縦部材１１に垂直に設置される横部材１２と、縦部材１１を挟み、横部材１２と対向する方向に縦部材１１に設けられた第１の支持部材１３Ａ及び第２の支持部材１３Ｂと、第１の支持部材１３Ａに設けられ下方に突出する第１の突出部１３Ａ１と、第２の支持部材１３Ｂに設けられ下方に突出する第２の突出部１３Ｂ１と、を備える。
【００１４】
図３は、第１の実施形態の太陽電池モジュール取付冶具１０の使用例を示す上面図である。図３に示すように、取付桟３０には太陽電池モジュール４０をボルトなどの係止部材によって取り付けるための取付孔３０Ａが設けられる。
【００１５】
縦部材１１の縦方向の長さは、太陽電池モジュール４０の縦方向の長さＨ３から縦部材１１の第１の支持部材１３Ａより端の部分を省略した長さＨ１を有する。
【００１６】
横部材１２の横方向の長さＷ１は、太陽電池モジュール４０の横方向の長さＷ４より短くてよい。横部材１２の横方向の長さＷ１は、太陽電池モジュール４０の横方向の長さＷ４の１／２以上であることが望ましい。
【００１７】
横部材１２の縦部材１１への取り付け位置は、図３に示すように横部材１２に太陽電池モジュール４０を合わせた場合に、太陽電池モジュール４０のフレームにあるボルト穴が取付桟３０の取付孔３０Ａと合うような位置である。
【００１８】
すなわち、横部材１２から第２の突出部１３Ｂ1までの高さＨ５と横部材１２から太陽電池モジュール４０のフレームのボルト穴までの高さＨ４とが等しくなるように、横部材１２は縦部材１１に設置される。
【００１９】
第１の突出部１３Ａ１と第２の突出部１３Ｂ１との距離Ｈ２は、それぞれに対応する取付孔３０Ａの距離と等しい。すなわち、第１の突出部１３Ａ１と第２の突出部１３Ｂ１との距離Ｈ２は、太陽電池モジュール４０のボルト穴の縦方向の間隔と等しい。
【００２０】
第１の突出部１３Ａ１及び第２の突出部１３Ｂ１と縦部材１１の太陽電池モジュール４０と接触する面との距離Ｗ２は、第１の太陽電池モジュール４０のための取付孔３０Ａと第１の太陽電池モジュール４０に隣接して取り付けられる第２の太陽電池モジュール４０のための隣接する取付孔３０Ａとの距離Ｗ３の１／２以下である。
【００２１】
太陽電池モジュール取付冶具１０の使用方法を説明する。まず、太陽電池モジュール取付冶具１０は、取り付けようとする太陽電池モジュール４０と隣接して取り付けられる太陽電池モジュール取付冶具１０のための取付孔３０Ａのうち、取り付けようとする太陽電池モジュール４０のための取付孔３０Ａに隣接する取付孔３０Ａに第１の突出部１３Ａ１及び第２の突出部１３Ｂ１が挿入される。
【００２２】
次に、取り付けようとする太陽電池モジュール４０が太陽電池モジュール取付冶具１０に角を合わせるように装着される。位置決め後、太陽電池モジュール４０は取付桟３０に係止部材によって係止される。
【００２３】
図４は、架台３１の外観斜視図である。図４に示すように、架台３１は取付孔３０Ａを有する取付桟３０を有する。太陽電池モジュール４０は、架台３１に載置され、係止される。
【００２４】
図５は、太陽電池モジュール４０の係止部分の断面図である。図５に示すように、太陽電池モジュール４０は太陽電池パネル４２を把持し、ボルト穴を有する係止部４１Ａを備えるフレーム４１と、を含む。
【００２５】
太陽電池モジュール４０は、係止部４１Ａを取付桟３０にボルト及びナットを含む係止部材４３によって係止することにより、固定される。
【００２６】
以上述べたように、本実施形態の太陽電池モジュール取付冶具１０は、縦方向に延びる棒状の縦部材１１と、縦部材１１の一端に、縦部材１１に垂直に設置される横部材１２と、縦部材１１を挟み、横部材１２と対向する方向に縦部材に設けられた第１の支持部材１３Ａ及び第２の支持部材１３Ｂと、第１の支持部材１３Ａに設けられ下方に突出する第１の突出部１３Ａ１と、第２の支持部材１３Ｂに設けられ下方に突出する第２の突出部１３Ｂ１と、を備える。太陽電池モジュール取付冶具１０は取付桟３０に設置され、太陽電池モジュール４０が横部材１２に当接されて位置決めされ、太陽電池モジュール４０が架台３１の取付桟３０に取り付けられる。その後、太陽電池モジュール取付冶具１０は取り除かれる。
【００２７】
従って、従来位置決めに要していた人員の削減が可能となり、位置決め工数も減少させることができるという効果がある。
【００２８】
（第２の実施形態）
図６は、第２の実施形態の太陽電池モジュール取付冶具２０の外観斜視図である。図７は、第２の実施形態の太陽電池モジュール取付冶具２０の上面図である。
【００２９】
図６及び図７に示すように、太陽電池モジュール取付冶具２０は、縦方向に延びる棒状の縦部材２１と、縦部材２１の一端に、縦部材２１に垂直に設置される横部材２２と、縦部材２１を挟み、横部材２２と対向する方向に縦部材２１に設けられた支持部材２３と、支持部材２３に設けられ下方に突出する第１の突出部２３Ａ１、第２の突出部２３Ａ２、第３の突出部２３Ａ３、及び第４の突出部２３Ａ４と、縦部材２１と横部材２２とに架け渡された補強用の斜材２４と、を備える。
【００３０】
図８は、第２の実施形態の太陽電池モジュール取付冶具２０の使用例を示す上面図である。図８に示すように、取付桟３０には太陽電池モジュール４０をボルトなどの係止部材によって取り付けるための取付孔３０Ａが設けられる。
【００３１】
縦部材２１の縦方向の長さは、太陽電池モジュール４０の縦方向の長さＨ３から縦部材２１の支持部材２３より端の部分を省略した長さＨ１を有する。
【００３２】
横部材２２の横方向の長さＷ１は、太陽電池モジュール４０の横方向の長さＷ４より短くてよい。横部材２２の横方向の長さＷ１は、太陽電池モジュール４０の横方向の長さＷ４の１／２以上であることが望ましい。
【００３３】
横部材２２の縦部材２１への取り付け位置は、図８に示すように横部材２２に太陽電池モジュール４０を合わせた場合に、太陽電池モジュール４０のフレームにあるボルト穴が取付桟３０の取付孔３０Ａと合うような位置である。
【００３４】
すなわち、横部材２２から第２の突出部２３Ａ２までの高さＨ５と横部材２２から太陽電池モジュール４０のフレームのボルト穴までの高さＨ４とが等しくなるように、横部材２２は縦部材２１に設置される。
【００３５】
第１の突出部２３Ａ１と第２の突出部２３Ａ２との距離Ｈ２は、それぞれに対応する取付孔３０Ａの距離と等しい。すなわち、第１の突出部２３Ａ１と第２の突出部２３Ａ２との距離Ｈ２は、太陽電池モジュール４０のボルト穴の縦方向の間隔と等しい。第３の突出部２３Ａ３と第４の突出部２３Ａ４との距離は、距離Ｈ２と等しい。
【００３６】
第１の突出部２３Ａ１及び第２の突出部２３Ａ２と縦部材２１の太陽電池モジュール４０と接触する面との距離Ｗ２は、第１の太陽電池モジュール４０のための取付孔３０Ａと第１の太陽電池モジュール４０に隣接して取り付けられる第２の太陽電池モジュール４０のための隣接する取付孔３０Ａとの距離Ｗ３の１／２以下である。
【００３７】
第１の突出部２３Ａ１と第３の突出部２３Ａ３との距離Ｗ５は、それぞれに対応する取付孔３０Ａの距離と等しい。すなわち、第１の突出部２３Ａ１と第３の突出部２３Ａ３との距離Ｗ５は、太陽電池モジュール４０のボルト穴の横方向の間隔と等しい。第２の突出部２３Ａ２と第４の突出部２３Ａ４との距離は、距離Ｗ５と等しい。
【００３８】
図９は、第２の実施形態の太陽電池モジュール取付冶具２０の変形例を示す図である。図９に示すように、太陽電池モジュール取付冶具２０は、支持部材２３を挟んで縦部材２１と対向する位置に設置されるゲージ２５と、ゲージ２５に設けられ、下方に突出する第５の突出部２５Ａ１及び第６の突出部２５Ａ２と、を備える。第５の突出部２５Ａ１及び第６の突出部２５Ａ２は穴であってもよい。
【００３９】
この第５の突出部２５Ａ１及び第６の突出部２５Ａ２は、隣接する２枚の太陽電池モジュール４０のための取付孔３０Ａが規定通りの位置に鑽孔されているかを確認するためのものである。
【００４０】
第５の突出部２５Ａ１と第３の突出部２３Ａ３との距離Ｗ６は、第１の太陽電池モジュール４０のための取付孔３０Ａと第１の太陽電池モジュール４０に隣接して取り付けられる第２の太陽電池モジュール４０のための隣接する取付孔３０Ａとの距離Ｗ３と等しい。第６の突出部２５Ａ２と第４の突出部２３Ａ４との距離は距離Ｗ６と等しい。
【００４１】
太陽電池モジュール取付冶具２０の使用方法を説明する。まず、太陽電池モジュール取付冶具２０は、取り付けようとする太陽電池モジュール４０と隣接して取り付けられる太陽電池モジュール取付冶具２０のための４つの取付孔３０Ａに、第１の突出部２３Ａ１、第２の突出部２３Ａ２、第３の突出部２３Ａ３、及び第４の突出部２３Ａ４がそれぞれ挿入される。
【００４２】
次に、取り付けようとする太陽電池モジュール４０が太陽電池モジュール取付冶具２０に角を合わせるように装着される。位置決め後、太陽電池モジュール４０は取付桟３０に係止部材によって係止される。
【００４３】
以上述べたように、本実施形態の太陽電池モジュール取付冶具２０は、縦方向に延びる棒状の縦部材２１と、縦部材２１の一端に、縦部材２１に垂直に設置される横部材２２と、縦部材２１を挟み、横部材２２と対向する方向に縦部材２１に設けられた支持部材２３と、支持部材２３に設けられ下方に突出する第１の突出部２３Ａ１、第２の突出部２３Ａ２、第３の突出部２３Ａ３、及び第４の突出部２３Ａ４と、縦部材２１と横部材２２とに架け渡された斜材２４と、を備える。太陽電池モジュール取付冶具２０は取付桟３０に設置され、太陽電池モジュール４０が横部材２２に当接されて位置決めされ、太陽電池モジュール４０が架台３１の取付桟３０に取り付けられる。その後、太陽電池モジュール取付冶具２０は取り除かれる。
【００４４】
従って、従来位置決めに要していた人員の削減が可能となり、位置決め工数も減少させることができるという効果がある。さらに、取付孔３０Ａが規定どおりの位置に鑽孔されているかを確認することができるという効果がある。
【符号の説明】
【００４５】
１０，２０：太陽電池モジュール取付冶具、
１１，２１：縦部材、
１２，２２：横部材、
１３Ａ１，２３Ａ１：第１の突出部、
１３Ｂ１，２３Ａ２：第２の突出部、
２３Ａ３：第３の突出部、
２３Ａ４：第４の突出部。
【図１】
2011061088.tif 000003
【図２】
2011061088.tif 000004
【図３】
2011061088.tif 000005
【図４】
2011061088.tif 000006
【図５】
2011061088.tif 000007
【図６】
2011061088.tif 000008
【図７】
2011061088.tif 000009
【図８】
2011061088.tif 000010
【図９】
2011061088.tif 000011